【手続補正書】
【提出日】平成17年8月31日(2005.8.31)
【手続補正１】
【補正対象書類名】明細書
【補正対象項目名】発明の名称
【補正方法】変更
【補正の内容】
【発明の名称】金融自動化システム
【手続補正２】
【補正対象書類名】明細書
【補正対象項目名】特許請求の範囲
【補正方法】変更
【補正の内容】
【特許請求の範囲】
【請求項１】 通帳（及び／又はカード）が挿入されると、通帳（及び／又はカード）に書き込まれている口座に関する識別情報を、通帳（及び／又はカード）から読み取る第１読取手段と、中央処理装置と通信可能な第１通信手段と、前記第１通信手段を制御可能な第１制御手段と、を有する端末装置と、
前記端末装置と通信可能な第２通信手段と、口座情報ファイルを記憶する第２記憶手段と、利息額を算出するための第２演算手段と、前記第２通信手段、前記第２記憶手段、及び、前記第２演算手段を制御可能な第２制御手段と、を有する中央処理装置と、
を具備してなる金融自動化システムであって、
前記端末装置の第１制御手段は、前記第１読取手段で読み取られた口座に関する識別情報を、前記第１通信手段を介して前記中央処理装置に送信し、
前記中央処理装置の第２制御手段は、前記端末装置から送られて来た前記口座に関する識別情報を、前記第２通信手段を介して受信すると、受信した識別情報に基づき、前記第２記憶手段が記憶する口座情報ファイルから、該当口座の利息額の算出に必要な情報を読み出し、読み出した情報を基に、前記第２演算手段で、該当口座の利息額を算出し、算出した利息額の情報を、前記口座情報ファイルに書き込む構成にされていることを特徴とする金融自動化システム。
【請求項２】  前記中央処理装置の第２制御手段は、前記算出した利息額の情報を、前記第２通信手段を介して、前記端末装置に送信する構成にされ、
前記端末装置は、前記利息額の情報を出力するための第１出力手段を有し、
前記端末装置の第１制御手段は、前記中央処理装置から送信されて来た利息額の情報を前記第１通信手段を介して受信すると、受信した前記利息額の情報を、前記第１出力手段を介して出力する構成にされていることを特徴とする請求項１記載の金融自動化システム。
【請求項３】 前記端末装置の第１出力手段は、前記挿入された通帳に記帳可能な構成にされ、
前記端末装置の第１制御手段は、前記中央処理装置から送信されて来た利息額の情報を、前記第１通信手段を介して受信すると、受信した前記利息額の情報を、前記第１出力手段を介して、前記挿入された通帳に記帳する構成にされていることを特徴とする請求項２記載の金融自動化システム。
【請求項４】 前記中央処理装置の第２制御手段は、前記端末装置から送られて来た前記口座に関する識別情報を、前記第２通信手段を介して受信すると、受信した識別情報に基づき、挿入された前記通帳（及び／又はカード）の今回の取り扱いが前回決算日の後の最初の取り扱いであるか否かを判別し、前記通帳（及び／又はカード）の今回の取り扱いが前回決算日の後の最初の取り扱いであることが判明した場合には、該当口座の前記利息額の算出に必要な情報を基に、前記第２演算手段で、利息額を算出し、前記通帳（及び／又はカード）の今回の取り扱いが前回決算日の後の最初の取り扱いでないことが判明した場合には、前記第２演算手段による利息額の算出を行わない構成にされていることを特徴とする請求項１〜請求項３のいずれかに記載の金融自動化システム。
【請求項５】 前記中央処理装置は、前回決算日に関する情報を記憶する第３記憶手段を有し、
前記中央処理装置の第２制御手段は、前記端末装置から送られて来た前記口座に関する識別情報を、前記第２通信手段を介して受信すると、受信した識別情報に基づき、前記第２記憶手段が記憶する口座情報ファイルから、該当口座の前回決算日に関する情報を読み出すと共に、前記第３記憶手段から前回決算日に関する情報を読み出し、前記第２記憶手段の口座情報ファイルから読み出した該当口座の前回決算日に関する情報と、前記第３記憶手段から読み出した前回決算日に関する情報とを対比して、挿入された前記通帳（及び／又はカード）の今回の取り扱いが前回決算日の後の最初の取り扱いであるか否かを判別し、前記通帳（及び／又はカード）の今回の取り扱いが前回決算日の後の最初の取り扱いであることが判明して、前記第２演算手段で、該当口座の前記利息額を算出した場合には、利息額が算出された旨の処理済情報として、前記第３記憶手段が記憶する前回決算日に関する情報を、前記第２記憶手段の口座情報ファイルに書き込んで、前記口座情報ファイルが示す該当口座の前回決算日に関する情報を更新する構成にされていることを特徴とする請求項４記載の金融自動化システム。
【請求項６】  前記中央処理装置の第２制御手段は、前記対比の結果、口座情報ファイルから読み出した前回決算日が前記第３記憶手段から読み出した前回決算日より前の場合には、挿入された前記通帳（及び／又はカード）の今回の取り扱いが前回決算日の後の最初の取り扱いであると判別し、口座情報ファイルから読み出した前回決算日が前記第３記憶手段から読み出した前回決算日より前でない場合には、挿入された前記通帳（及び／又はカード）の今回の取り扱いが前回決算日の後の最初の取り扱いでないと判別する構成にされていることを特徴とする請求項５記載の金融自動化システム。
【手続補正３】
【補正対象書類名】明細書
【補正対象項目名】０００１
【補正方法】変更
【補正の内容】
【０００１】
【産業上の利用分野】
本発明は、決算処理を実行して、利息額を算出する金融自動化システムに関する。
【手続補正４】
【補正対象書類名】明細書
【補正対象項目名】０００７
【補正方法】変更
【補正の内容】
【０００７】
従って、前記の課題は、
通帳（及び／又はカード）が挿入されると、通帳（及び／又はカード）に書き込まれている口座に関する識別情報を、通帳（及び／又はカード）から読み取る第１読取手段と、中央処理装置と通信可能な第１通信手段と、前記第１通信手段を制御可能な第１制御手段と、を有する端末装置と、
前記端末装置と通信可能な第２通信手段と、口座情報ファイルを記憶する第２記憶手段と、利息額を算出するための第２演算手段と、前記第２通信手段、前記第２記憶手段、及び、前記第２演算手段を制御可能な第２制御手段と、を有する中央処理装置と、
を具備してなる金融自動化システムであって、
前記端末装置の第１制御手段は、前記第１読取手段で読み取られた口座に関する識別情報を、前記第１通信手段を介して前記中央処理装置に送信し、
前記中央処理装置の第２制御手段は、前記端末装置から送られて来た前記口座に関する識別情報を、前記第２通信手段を介して受信すると、受信した識別情報に基づき、前記第２記憶手段が記憶する口座情報ファイルから、該当口座の利息額の算出に必要な情報を読み出し、読み出した情報を基に、前記第２演算手段で、該当口座の利息額を算出し、算出した利息額の情報を、前記口座情報ファイルに書き込む構成にされていることを特徴とする金融自動化システムによって解決される。
【手続補正５】
【補正対象書類名】明細書
【補正対象項目名】０００８
【補正方法】変更
【補正の内容】
【０００８】
尚、前記中央処理装置の第２制御手段は、前記算出した利息額の情報を、前記第２通信手段を介して、前記端末装置に送信する構成にされ、前記端末装置は、前記利息額の情報を出力するための第１出力手段を有する構成にされ、前記端末装置の第１制御手段は、前記中央処理装置から送信されて来た利息額の情報を前記第１通信手段を介して受信すると、受信した前記利息額の情報を、前記第１出力手段を介して出力する構成にされると好ましい。
【手続補正６】
【補正対象書類名】明細書
【補正対象項目名】０００９
【補正方法】変更
【補正の内容】
【０００９】
又、前記端末装置の第１出力手段は、前記挿入された通帳に記帳可能な構成にされ、前記端末装置の第１制御手段は、前記中央処理装置から送信されて来た利息額の情報を、前記第１通信手段を介して受信すると、受信した前記利息額の情報を、前記第１出力手段を介して、前記挿入された通帳に記帳する構成にされると好ましい。
【手続補正７】
【補正対象書類名】明細書
【補正対象項目名】００１０
【補正方法】変更
【補正の内容】
【００１０】
又、前記中央処理装置の第２制御手段は、前記端末装置から送られて来た前記口座に関する識別情報を、前記第２通信手段を介して受信すると、受信した識別情報に基づき、挿入された前記通帳（及び／又はカード）の今回の取り扱いが前回決算日の後の最初の取り扱いであるか否かを判別し、前記通帳（及び／又はカード）の今回の取り扱いが前回決算日の後の最初の取り扱いであることが判明した場合には、該当口座の前記利息額の算出に必要な情報を基に、前記第２演算手段で、利息額を算出し、前記通帳（及び／又はカード）の今回の取り扱いが前回決算日の後の最初の取り扱いでないことが判明した場合には、前記第２演算手段による利息額の算出を行わない構成にされると好ましい。
【手続補正８】
【補正対象書類名】明細書
【補正対象項目名】００１１
【補正方法】変更
【補正の内容】
【００１１】
又、前記中央処理装置は、前回決算日に関する情報を記憶する第３記憶手段を有する構成にされ、前記中央処理装置の第２制御手段は、前記端末装置から送られて来た前記口座に関する識別情報を、前記第２通信手段を介して受信すると、受信した識別情報に基づき、前記第２記憶手段が記憶する口座情報ファイルから、該当口座の前回決算日に関する情報を読み出すと共に、前記第３記憶手段から前回決算日に関する情報を読み出し、前記第２記憶手段の口座情報ファイルから読み出した該当口座の前回決算日に関する情報と、前記第３記憶手段から読み出した前回決算日に関する情報とを対比して、挿入された前記通帳（及び／又はカード）の今回の取り扱いが前回決算日の後の最初の取り扱いであるか否かを判別し、前記通帳（及び／又はカード）の今回の取り扱いが前回決算日の後の最初の取り扱いであることが判明して、前記第２演算手段で、該当口座の前記利息額を算出した場合には、利息額が算出された旨の処理済情報として、前記第３記憶手段が記憶する前回決算日に関する情報を、前記第２記憶手段の口座情報ファイルに書き込んで、前記口座情報ファイルが示す該当口座の前回決算日に関する情報を更新する構成にされると好ましい。
【手続補正９】
【補正対象書類名】明細書
【補正対象項目名】００１２
【補正方法】変更
【補正の内容】
【００１２】
又、前記中央処理装置の第２制御手段は、前記対比の結果、口座情報ファイルから読み出した前回決算日が前記第３記憶手段から読み出した前回決算日より前の場合には、挿入された前記通帳（及び／又はカード）の今回の取り扱いが前回決算日の後の最初の取り扱いであると判別し、口座情報ファイルから読み出した前回決算日が前記第３記憶手段から読み出した前回決算日より前でない場合には、挿入された前記通帳（及び／又はカード）の今回の取り扱いが前回決算日の後の最初の取り扱いでないと判別する構成にされると好ましい。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】変更
【補正の内容】
【００３６】
この発明によれば、決算元加日前に全ての口座における決算処理が終了していなくても済むようになる。すなわち、予め、決算処理が完了しておらずとも、顧客の来店時における取り扱い時（取引時）において、決算処理がコンピュータにより直ちに行われ、その結果が直ちに利用できるから、決算元加日前に全ての口座における決算処理を終了させておかねばと言う必要がなくなる。従って、一定時点において、決算処理に多くの行員を割かねばならない問題が解決される。
【手続補正３４】
【補正対象書類名】明細書
【補正対象項目名】００３７
【補正方法】変更
【補正の内容】
【００３７】
【発明の実施の形態】
図１は、本発明になる金融自動化システムのブロック図であり、図２は、口座情報ファイルを示す図であり、図３は、フローチャートである。先ず、図１を基にして本発明を説明する。図１中、Ａは、例えば銀行の支店あるいは無人店舗などに設置されているＡＴＭ端末装置である。
この端末装置Ａは、リーダー（第１読取手段）１とプリンタ（第１出力手段）２とモデム（第１通信手段）３と前記の手段（第１読取手段１と第１出力手段２と第１通信手段３）を制御する第１制御手段４とを有する。
【手続補正３５】
【補正対象書類名】明細書
【補正対象項目名】００３８
【補正方法】変更
【補正の内容】
【００３８】
そして、通帳（及び／又はカード）Ｙが端末装置Ａの挿入口から端末装置Ａ内に挿入されると、通帳（及び／又はカード）Ｙに書き込まれている口座番号に関する情報（識別情報）が第１読取手段１で読み取られる。第１読取手段１で口座番号に関する情報が読み取られると、第１制御手段４は、読み取った口座番号に関する情報を第１通信手段３から後述の中央処理装置Ｂに送信させる。又、第１制御手段４は、中央処理装置Ｂから送信されて来た利息額の情報を第１通信手段３を介して受信すると、第１出力手段２により利息額の情報を出力し、通帳Ｙに記帳する。
【手続補正３６】
【補正対象書類名】明細書
【補正対象項目名】００３９
【補正方法】変更
【補正の内容】
【００３９】
Ｂは中央処理装置である。この中央処理装置Ｂは、モデム（第２通信手段）５と第２記憶手段（外部記憶手段）６ａと第３記憶手段（内部記憶手段）６ｂと第２演算手段７と第２入力手段８と前記の手段（第２通信手段５と第２記憶手段６ａと第３記憶手段６ｂと第２演算手段７と第２入力手段８）を制御する第２制御手段９とを有する。
【手続補正３７】
【補正対象書類名】明細書
【補正対象項目名】００４０
【補正方法】変更
【補正の内容】
【００４０】
そして、端末装置Ａの第１通信手段３から送信された口座番号に関する情報を第２通信手段５が受信すると、第２制御手段９は、受信した口座番号に関する情報に基づいて第２記憶手段６ａの該当する口座情報ファイルから該口座における利息額の算出に必要な情報を読み出す。そして、第２演算手段７で利息額を算出させる。尚、利息額の算出は、第２記憶手段６ａの該当する口座情報ファイルに記憶している残高積数を用いて算出される。これは公知であるから詳細は省略する。
第２演算手段７により利息額の算出が行われると、第２制御手段９は算出結果（利息額）の情報と利息額の算出が行われた旨の情報とを第２記憶手段６ａの該当する口座情報ファイルに記憶させる。又、算出結果（利息額）の情報を第２通信手段５を介して端末装置Ａに送信する。
【手続補正３８】
【補正対象書類名】明細書
【補正対象項目名】００４１
【補正方法】変更
【補正の内容】
【００４１】
詳述すると、第２制御手段９は、端末装置Ａから送られて来た口座番号に関する情報を第２通信手段５から受信すると、この受信した口座番号に関する情報に基づいて第２記憶手段６ａの該当する口座情報ファイルから読み出した前回決算日に関する情報と第３記憶手段６ｂから読み出した前回決算日に関する情報とを、第２演算手段７に対比させ、該通帳（及び／又はカード）Ｙの今回の取り扱いが前回決算日の後の最初の取り扱いであるか否かを判別する。
そして、該通帳（及び／又はカード）Ｙの今回の取り扱いが前回決算日の後の最初の取り扱いであることが判明した場合、第２制御手段９は、第２記憶手段６ａの該当する口座情報ファイルから該口座における利息額の算出に必要な情報を読み出し、読み出された情報を基に第２演算手段７で利息額を算出させる。具体的には、第２記憶手段６ａの該当する口座情報ファイルから読み出した前回決算日が第３記憶手段６ｂから読み出した前回決算日より前の場合には、該通帳（及び／又はカード）Ｙの今回の取り扱いが決算日の後の最初の取り扱いであると判別し、第２演算手段７に、利息額の算出を行わせる。
又、第２制御手段９は、第２演算手段７によって該当する口座における利息額を算出する決算処理が行われた旨の処理済情報として、第３記憶手段６ｂから読み出した前回決算日を第２記憶手段６ａの該当する口座情報ファイルに記憶（更新）させ、第２演算手段７での算出結果（利息額）の情報を、第２記憶手段６ａの該当する口座情報ファイルに記憶させる。
【手続補正３９】
【補正対象書類名】明細書
【補正対象項目名】００４２
【補正方法】変更
【補正の内容】
【００４２】
これに対し、該通帳（及び／又はカード）Ｙの今回の取り扱いが前回決算日の後の最初の取り扱いでないことが判明した場合、第２制御手段９は、第２演算手段７による利息額の算出を行わないようにする。具体的には、第２記憶手段６ａの該当する口座情報ファイルから読み出した前回決算日が第３記憶手段６ｂから読み出した前回決算日より前でない場合には、該通帳（及び／又はカード）Ｙの今回の取り扱いが決算日の後の最初の取り扱いでないと判別し、第２演算手段７による利息額の算出を行わないようにする。
【手続補正４０】
【補正対象書類名】明細書
【補正対象項目名】００４３
【補正方法】変更
【補正の内容】
【００４３】
又、第２制御手段９は、利息額を算出した場合、算出結果（利息額）の情報を、第２通信手段５を介して端末装置Ａに送信すると共に、第２演算手段７での算出結果（利息額）の情報を端末装置Ａの第１出力手段２から出力したことを示す出力済情報を、第２記憶手段６ａの該当する口座情報ファイルに記憶させる。但し、算出結果（利息額）の情報の送信前には、第２記憶手段６ａの該当する口座情報ファイルから読み出した出力済情報の中に該口座の利息額についての出力済情報が存在するか否かを判別し、存在する場合には、第１出力手段２による出力を行わないようにする。
又、第２入力手段８から多数の口座における決算処理を一括して行う一括処理信号が入力されると、第２制御手段９は、第２記憶手段６ａの該当する口座情報ファイルから該口座における利息額の算出に必要な情報を読み出し、読み出された情報を基に第２演算手段７で利息額を算出する。